(57)【特許請求の範囲】
【請求項１】
上部カプセル部材の開口端部と下部カプセル部材の開口端部を嵌合し、内部に玩具を収納してなるカプセル玩具であって、
前記上部カプセル部材は、透明な材質で形成され、
前記下部カプセル部材は、前記玩具を載せる平らな平坦面部と、この平坦面部の一方の面より立設する環状に形成された第１の環状立脚部と、前記平坦面部の他方の面より立設する環状に形成された第２の環状立脚部とを有し、前記第１の環状立脚部が前記下部カプセル部材の開口端部であり、
前記下部カプセル部材を前記玩具の置き台とする場合、前記下部カプセル部材の開口端部を台等の支持部材に当接させ、前記下部カプセル部材の開口端部を支持脚部とし、前記透明な上部カプセル部材の開口端部を前記平坦面部に当接又は前記第２の環状立脚部に係止させ、前記上部カプセル部材と前記下部カプセル部材に囲まれた空間内に前記玩具が位置している構成となっている
ことを特徴とするカプセル玩具。
【請求項２】
上部カプセル部材の開口端部と下部カプセル部材の開口端部を嵌合し、内部に玩具を収納してなるカプセル玩具であって、
前記上部カプセル部材は、透明な材質で形成され、
前記下部カプセル部材は、前記玩具を載せる平らな平坦面部と、この平坦面部の一方の面より立設する環状に形成された第１の環状立脚部と、前記平坦面部の他方の面より立設する環状に形成された第２の環状立脚部とを有し、前記第１の環状立脚部が前記下部カプセル部材の開口端部であり、
前記下部カプセル部材を前記玩具の置き台とする場合、前記第２の環状立脚部を台等の支持部材に当接させ、前記第２の環状立脚部を支持脚部とし、前記上部カプセル部材の開口端部と下部カプセル部材の開口端部を嵌合させ、前記上部カプセル部材と前記下部カプセル部材に囲まれた空間内に前記玩具が位置している構成となっている
ことを特徴とするカプセル玩具。
【請求項３】
上部カプセル部材の開口端部と下部カプセル部材の開口端部を嵌合し、内部に玩具を収納してなるカプセル玩具であって、
前記玩具に突起を設け、
前記下部カプセル部材の外側に前記突起に係止する穴、又は、凹部を設け、
前記下部カプセル部材を前記玩具の置き台とする場合、前記下部カプセル部材の開口端部を台等の支持部材に当接させ、
前記上部カプセル部材は、透明な材質で形成され、
前記下部カプセル部材の外側に前記上部カプセル部材の開口端部が係止する被係止部を設け、
前記下部カプセル部材を玩具の置き台とする場合、前記下部カプセル部材の開口端部を台等の支持部材に当接させ、前記下部カプセル部材に設けた穴、又は、凹部に玩具に設けた突起が係止すると共に、前記下部カプセル部材の被係止部に前記上部カプセル部材の開口端部を係止させて、前記上部カプセル部材と前記下部カプセル部材に囲まれた空間内に前記玩具が位置している構成となっている
ことを特徴とするカプセル玩具。
【発明の詳細な説明】
【０００１】
本発明は、カプセル玩具に係り、特に、カプセル部材を玩具の置き台に利用することができるカプセル玩具に関する。
【０００２】
【従来の技術と発明が解決しようとする課題】
自販機に硬貨を入れ、ハンドルを回すと、出てくる、カプセルに内在された玩具、（通称「ガチャポン」）がある。
この玩具は、周知のように、上部カプセル部材と下部カプセル部材を嵌合し、内部に玩具を収納するようになっている。
一般に、カプセル内から玩具を取り出した後、上部カプセル部材及び下部カプセル部材は、利用されることなく廃棄されてしまうという問題点があった。
【発明が解決しようとする課題】
本発明は、上述した問題点を考慮してなされたもので、カプセル部材に玩具の置き台として機能を付加してカプセル部材が廃棄されないようにしたカプセル玩具を提供するものである。
【０００４】
【課題を解決するための手段】
上記目的を達成するために、請求項１記載のカプセル玩具は、上部カプセル部材の開口端部と下部カプセル部材の開口端部を嵌合し、内部に玩具を収納してなるカプセル玩具であって、前記上部カプセル部材は、透明な材質で形成され、前記下部カプセル部材は、前記玩具を載せる平らな平坦面部と、この平坦面部の一方の面より立設する環状に形成された第１の環状立脚部と、前記平坦面部の他方の面より立設する環状に形成された第２の環状立脚部とを有し、前記第１の環状立脚部が前記下部カプセル部材の開口端部であり、前記下部カプセル部材を前記玩具の置き台とする場合、前記下部カプセル部材の開口端部を台等の支持部材に当接させ、前記下部カプセル部材の開口端部を支持脚部とし、前記透明な上部カプセル部材の開口端部を前記平坦面部に当接又は前記第２の環状立脚部に係止させ、前記上部カプセル部材と前記下部カプセル部材に囲まれた空間内に前記玩具が位置している構成となっているものである。
【０００６】
また、請求項２記載のカプセル玩具は、上部カプセル部材の開口端部と下部カプセル部材の開口端部を嵌合し、内部に玩具を収納してなるカプセル玩具であって、前記上部カプセル部材は、透明な材質で形成され、前記下部カプセル部材は、前記玩具を載せる平らな平坦面部と、この平坦面部の一方の面より立設する環状に形成された第１の環状立脚部と、前記平坦面部の他方の面より立設する環状に形成された第２の環状立脚部とを有し、前記第１の環状立脚部が前記下部カプセル部材の開口端部であり、前記下部カプセル部材を前記玩具の置き台とする場合、前記第２の環状立脚部を台等の支持部材に当接させ、前記第２の環状立脚部を支持脚部とし、前記上部カプセル部材の開口端部と下部カプセル部材の開口端部を嵌合させ、前記上部カプセル部材と前記下部カプセル部材に囲まれた空間内に前記玩具が位置している構成となっているものである。
【０００７】
また、請求項３記載のカプセル玩具は、上部カプセル部材の開口端部と下部カプセル部材の開口端部を嵌合し、内部に玩具を収納してなるカプセル玩具であって、前記玩具に突起を設け、前記下部カプセル部材の外側に前記突起に係止する穴、又は、凹部を設け、前記下部カプセル部材を前記玩具の置き台とする場合、前記下部カプセル部材の開口端部を台等の支持部材に当接させ、前記上部カプセル部材は、透明な材質で形成され、前記下部カプセル部材の外側に前記上部カプセル部材の開口端部が係止する被係止部を設け、前記下部カプセル部材を玩具の置き台とする場合、前記下部カプセル部材の開口端部を台等の支持部材に当接させ、前記下部カプセル部材に設けた穴、又は、凹部に玩具に設けた突起が係止すると共に、前記下部カプセル部材の被係止部に前記上部カプセル部材の開口端部を係止させて、前記上部カプセル部材と前記下部カプセル部材に囲まれた空間内に前記玩具が位置している構成となっているものである。
【００１０】
【実施例】
本発明の一実施例のカプセル玩具を図面を参照して説明する。
（実施例１）
図１に示すように、１はカプセルに玩具２を内在したカプセル玩具で、カプセル玩具１は、自販機、店頭、通販で購入する状態においては、上部カプセル部材11の開口端部11ａと下部カプセル部材12の開口端部12ａを嵌合（形状があったものをはめ合わせること）し、内部に玩具２を収納している。なお、玩具２は、例えば、キャラクタ−人形、組立玩具、動物玩具等である。
【００１１】
上部カプセル部材11は、略筒形状をなした本体11Ａと、この本体11Ａの一方の端部を覆う略半球形状の球形部11Ｂとを有し、11ａは本体11Ａの他方の端部、つまり、上部カプセル部材11の開口端部である。この開口端部11ａは環状に形成されている。上部カプセル部材11は、不透明な材質で形成されても良いが、望ましくは、透明な材質で形成されている。
【００１２】
下部カプセル部材12は、玩具２を載せる平らな平坦面部12ｃと、この平坦面部12ｃの一方の面より立設する環状に形成された環状立脚部［第１の環状立脚部］12ａと、平坦面部12ｃの他方の面より立設する環状に形成された第２の環状立脚部12ｂとを有し、環状立脚部［第１の環状立脚部］12ａが下部カプセル部材12の開口端部となっている。環状立脚部［第１の環状立脚部］12ａの立脚高さＨは、第２の環状立脚部12ｂの立脚高さｈより大（Ｈ＞ｈ）となっている。
【００１３】
下部カプセル部材12を玩具２の置き台とする場合、図２及び図３に示すように、下部カプセル部材12の開口端部12ａを台（物をのせる平たいもの）等の支持部材３に当接させ、下部カプセル部材12の開口端部12ａを支持脚部とし、また、玩具２を平坦面12ｃに安定的に載せることができるようになっている。
この実施例のカプセル玩具１によれば、下部カプセル部材12に玩具２を安定的に載せることができる平坦面部12ｃの構成要素を付加することにより、下部カプセル部材12を廃棄することなく、玩具２の置き台に利用して、玩具２を鑑賞することができる。
【００１４】
なお、望ましくは、平坦面部12ｃに玩具２を載せた状態で、上部カプセル部材11の開口端部11ａと下部カプセル部材12の第２の環状立脚部12ｂを嵌合し、詳しくは、開口部が大である環状に形成された第２の環状立脚部12ｂの内周縁部に開口部が小である環状に形成された開口端部11ａの外周縁部を嵌合し、上部カプセル部材11と下部カプセル部材12に囲まれた空間内に玩具２が位置している構成となっている。
この実施例においては、上部カプセル部材11の開口端部11ａと下部カプセル部材12の第２の環状立脚部12ｂは嵌合しているが、透明な上部カプセル部材11の開口端部11ａを平坦面部12ｃに当接又は第２の環状立脚部12ｂに係止（かかわり合って止めること）させ、上部カプセル部材11と下部カプセル部材12に囲まれた空間内に玩具２が位置している構成となっていれば良い。
その結果、透明な上部カプセル部材11で蓋をして、玩具２に埃が付着するのを防止することができ、蓋をしたまま透明な上部カプセル部材11を介して玩具２を鑑賞することもできる。
【００１５】
（実施例２）
なお、上述した実施例においては、カプセル玩具１を自販機、店頭、通販で購入する状態と、下部カプセル部材12を玩具２の置き台とする状態とでは、下部カプセル部材12の位置関係が異なっているが、図４に示すように、カプセル玩具１を自販機、店頭、通販で購入する状態と、下部カプセル部材12を玩具２の置き台とする状態とにおいて、下部カプセル部材12の位置関係を同じようにしても良い。
【００１６】
即ち、カプセル玩具１は、上部カプセル部材11の開口端部11ａと下部カプセル部材12の開口端部12ｂを嵌合し、内部に玩具２を収納している。上部カプセル部材11は、不透明な材質で形成されても良いが、望ましくは、透明な材質で形成されている。
そして、下部カプセル部材12は、玩具２を載せる平らな平坦面部12ｆと、この平坦面部12ｆの一方の面より立設する環状に形成された第１の環状立脚部12ｂと、平坦面部12ｆの他方の面より立設する環状に形成された第２の環状立脚部12ｅとを有し、第１の環状立脚部12ｂが下部カプセル部材12の開口端部となっている。
下部カプセル部材12を玩具２の置き台とする場合、図４に示すように、第２の環状立脚部12ｅを台等の支持部材３に当接させ、第２の環状立脚部12ｅを支持脚部とし、上部カプセル部材11の開口端部11ａと下部カプセル部材12の開口端部12ｂを嵌合させ、上部カプセル部材11と下部カプセル部材12に囲まれた空間内に玩具２が位置している構成となっている。
この図４記載のカプセル玩具１によれば、カプセル内から玩具２を取り出すことなく、そのまま、下部カプセル部材12の第２の環状立脚部12ｅを台等の支持部材３に当接、または、カプセル内から玩具２を取り出した後、下部カプセル部材12の第２の環状立脚部12ｅを台等の支持部材３に当接すると共に、下部カプセル部材12に設けた平坦面部12ｆに玩具２を載せることができるため、従来廃棄されていたカプセル玩具の下部カプセル部材を玩具の置き台に利用して、玩具を鑑賞することができ、透明な上部カプセル部材11で蓋をして、玩具２に埃が付着するのを防止することができ、蓋をしたまま透明な上部カプセル部材11を介して玩具２を鑑賞することもできる。
【００１７】
（実施例３）
上述した実施例（図１乃至図４）においては、下部カプセル部材12に玩具２を安定的に載せることができる平坦面部12ｃの構成要素を付加したが、平坦面部12ｃを形成できない場合に適用できる例について説明する。
【００１８】
即ち、図５に示すように、カプセル玩具１は、自販機、店頭、通販で購入する状態においては、上部カプセル部材11の開口端部11ａと下部カプセル部材12の開口端部12ａを嵌合し、内部に玩具２を収納している。上部カプセル部材11は、不透明な材質で形成されても良いが、望ましくは、透明な材質で形成されている。玩具２には、例えば、玩具２の底部21、21に突起21、21が設けられている。
また、下部カプセル部材12の外側には、突起21、21に係止する穴12ｄ、12ｄ（又は、凹部）が、上部カプセル部材11の開口端部11ａが係止する被係止部（例えば、凹部）12ｂ’が、それぞれ設けられ、被係止部（例えば、凹部）12ｂ’
は、穴12ｄ、12ｄ（又は、凹部）と開口端部12ａとの間に位置している。
【００１９】
そして、下部カプセル部材12を玩具２の置き台とする場合、図７及び図８に示すように、下部カプセル部材12の開口端部12ａを台等の支持部材３に当接させ、下部カプセル部材12に設けた穴12ｄ、12ｄ（又は、凹部）に玩具２の底部21、21に設けた突起21ｄ、21ｄが係止すると共に、下部カプセル部材12の被係止部（例えば、凹部）12ｂ’に上部カプセル部材11の開口端部11ａが係止し、上部カプセル部材11と下部カプセル部材12に囲まれた空間内に玩具２が位置している構成となっている。
【００２０】
その結果、この実施例のカプセル玩具によれば、図７及び図８に示すように、カプセル内から玩具２を取り出した後、下部カプセル部材12の開口端部12ａを台等の支持部材３に当接すると共に、下部カプセル部材12に設けた穴12ｄ、12ｄ（又は、凹部）に玩具２の底部21、21に設けた突起21ｄ、21ｄを係止することができるため、従来廃棄されていたカプセル玩具の下部カプセル部材12を玩具２の置き台に利用して、玩具を鑑賞することができる。
また、下部カプセル部材12の被係止部（例えば、凹部）12ｂ’に上部カプセル部材11の開口端部11ａを係止させて、透明な上部カプセル部材11で蓋をして、玩具２に埃が付着するのを防止することができ、蓋をしたまま透明な上部カプセル部材11を介して玩具２を鑑賞することもできる。
【００２１】
（実施例４）
なお、上述した図５乃至図８の実施例においては、下部カプセル部材12の外側に、突起21、21に係止する穴12ｄ、12ｄを設けたが、穴12ｄ、12ｄの代わりに、下部カプセル部材12の外側に図１乃至図４記載の玩具２を載せる平らな平坦面部（図示せず）を設けても良い。
即ち、カプセル玩具は、上部カプセル部材の開口端部と下部カプセル部材の開口端部を嵌合し、内部に玩具を収納し、前記下部カプセル部材を前記玩具の置き台とする場合、前記下部カプセル部材の開口端部を台等の支持部材に当接させる。
この実施例カプセル玩具によれば、カプセル内から玩具を取り出した後、下部カプセル部材の開口端部を台等の支持部材に当接すると共に、下部カプセル部材に設けた平坦面部に玩具を載せることができるため、従来廃棄されていたカプセル玩具の下部カプセル部材を玩具（玩具は、例えば、図１乃至図４記載の玩具２）の置き台に利用して、玩具を鑑賞することができる。
【００２２】
なお、本発明にいう「カプセル玩具」とは、自販機に硬貨を入れ、ハンドルを回すと、出てくる、カプセルに内在された玩具、（通称「ガチャポン」）のみならず、自販機を介さずに、店頭、通販で購入できる「カプセルに内在された玩具」をも含むものである。
【００２３】
【発明の効果】
請求項１記載のカプセル玩具によれば、カプセル内から玩具を取り出した後、下部カプセル部材の開口端部を台等の支持部材に当接すると共に、下部カプセル部材に設けた平坦面部に玩具を載せることができるため、従来廃棄されていたカプセル玩具の下部カプセル部材を玩具の置き台に利用して、玩具を鑑賞することができ、また、透明な上部カプセル部材で蓋をして、玩具に埃が付着するのを防止することができ、蓋をしたまま透明な上部カプセル部材を介して玩具を鑑賞することもできる。
【００２５】
また、請求項２記載のカプセル玩具によれば、カプセル内から玩具を取り出した後、下部カプセル部材の第２の環状立脚部を台等の支持部材に当接すると共に、下部カプセル部材に設けた平坦面部に玩具を載せることができるため、従来廃棄されていたカプセル玩具の下部カプセル部材を玩具の置き台に利用して、玩具を鑑賞することができ、また、透明な上部カプセル部材で蓋をして、玩具に埃が付着するのを防止することができ、蓋をしたまま透明な上部カプセル部材を介して玩具を鑑賞することもできる。
【００２７】
また、請求項３記載のカプセル玩具によれば、カプセル内から玩具を取り出した後、下部カプセル部材の開口端部を台等の支持部材に当接すると共に、下部カプセル部材に設けた穴、又は、凹部に玩具に設けた突起を係止することができるため、従来廃棄されていたカプセル玩具の下部カプセル部材を玩具の置き台に利用して、玩具を鑑賞することができ、また、透明な上部カプセル部材で蓋をして、玩具に埃が付着するのを防止することができ、蓋をしたまま透明な上部カプセル部材を介して玩具を鑑賞することもできる。
【図面の簡単な説明】
【図１】図１は、本発明の一実施例のカプセル玩具の概略的断面図で、例えば、自販機から出てくる状態を示している。
【図２】図２は、図１のカプセル玩具の下部カプセル部材を玩具の置き台として使用する形態の概略的断面図である。
【図３】図３は、図２のカプセル玩具の概略的斜視図である。
【図４】図４は、本発明の他の実施例のカプセル玩具の概略的断面図で、例えば、自販機から出てくる状態を示している。
【図５】図５は、本発明の他の実施例のカプセル玩具の概略的断面図で、例えば、自販機から出てくる状態を示している。
【図６】図６は、図５のカプセル玩具の概略的分解斜視図である。
【図７】図７は、図５の下部カプセルを玩具の置き台として使用する形態の概略的断面図である。
【図８】図８は、図５のカプセル玩具の概略的斜視図である。
【符号の説明】
１  ・・・・・カプセル玩具
２  ・・・・・玩具
３  ・・・・・支持部材
11  ・・・・・上部カプセル部材
12  ・・・・・下部カプセル部材
12ａ・・・・・下部カプセル部材の開口端部（環状立脚部）
12ｃ・・・・・平坦面部
【図１】
0003797944.tif 000002
【図２】
0003797944.tif 000003
【図３】
0003797944.tif 000004
【図４】
0003797944.tif 000005
【図５】
0003797944.tif 000006
【図６】
0003797944.tif 000007
【図７】
0003797944.tif 000008
【図８】
0003797944.tif 000009